(57)【要約】【課題】ロック状態の解除に要するスイッチ操作を工夫することにより、利便性を向上させることが可能な操作装置を提供する。【解決手段】操作スイッチ１１，１２，１４，１５と、操作スイッチ（チャイルドロックスイッチ）１３と、この操作スイッチ１３の操作に基づいてチャイルドロック（ロック）状態の設定と解除を行う制御部２とを備えており、制御部２は操作スイッチ１３を所定時間連続操作することによりチャイルドロック状態に設定するチャイルドロック状態設定処理と、チャイルドロック状態のとき操作スイッチ１３と所定の操作スイッチ１１とを同時に所定時間連続操作することによりチャイルドロック状態を解除するチャイルドロック状態解除処理とを行い、チャイルドロック状態の設定に要する操作時間に対して、チャイルドロック状態の解除に要する操作時間を短く設定した。【選択図】図１
2005156065.tif 000002
【特許請求の範囲】
【請求項１】
複数の操作スイッチと、
設定スイッチと、
この設定スイッチの操作に基づいて所定状態の設定と解除を行う制御部とを備えており、
前記制御部は前記設定スイッチを所定時間連続操作することにより前記所定状態に設定する設定処理と、前記所定状態のとき前記設定スイッチと前記操作スイッチのうち所定もしくは任意の操作スイッチとを同時に所定時間連続操作することにより前記所定状態を解除する所定状態解除処理とを行い、
前記所定状態の設定に要する操作時間に対して、前記設定状態の解除に要する操作時間が短く設定されていることを特徴とする操作装置。
【請求項２】
複数の操作スイッチと、
設定スイッチと、
この設定スイッチの操作に基づいて所定状態の設定と解除を行う制御部とを備えており、
前記制御部は前記設定スイッチを所定時間連続操作することにより前記所定状態に設定する所定状態設定処理と、前記所定状態のとき前記設定スイッチを所定時間連続操作することにより前記所定状態を解除する第１の所定状態解除処理と、前記所定状態のとき前記設定スイッチと前記操作スイッチのうち所定もしくは任意の操作スイッチとを同時に所定時間連続操作することにより前記所定状態を解除する第２の所定状態解除処理とを行い、
前記所定状態の設定に要する操作時間と、前記第１の所定状態解除処理において前記所定状態の解除に要する操作時間が同じに設定され、
前記所定状態解除処理において前記所定状態の解除に要する操作時間に対して、前記第２の所定状態解除処理において前記所定状態の解除に要する操作時間を短く設定したことを特徴とする操作装置。
【請求項３】
複数の操作スイッチと、
ロックスイッチと、
このロックスイッチの操作に基づいてロック状態の設定と解除を行う制御部とを備えており、
前記制御部は前記ロックスイッチを所定時間連続操作することにより前記ロック状態に設定するロック状態設定処理と、前記ロック状態のとき前記ロックスイッチと前記操作スイッチのうち所定もしくは任意の操作スイッチとを同時に所定時間連続操作することにより前記ロック状態を解除するロック状態解除処理とを行い、前記ロック状態の設定に要する操作時間に対して、前記ロック状態の解除に要する操作時間が短く設定されていることを特徴とする操作装置。
【請求項４】
複数の操作スイッチと、
ロックスイッチと、
このロックスイッチの操作に基づいてロック状態の設定と解除を行う制御部とを備えており、
前記制御部は前記ロックスイッチを所定時間連続操作することにより前記ロック状態に設定するロック状態設定処理と、前記ロック状態のとき前記ロックスイッチを所定時間連続操作することにより前記ロック状態を解除する第１のロック状態解除処理と、前記ロック状態のとき前記ロックスイッチと前記操作スイッチのうち所定もしくは任意の操作スイッチとを同時に所定時間連続操作することにより前記ロック状態を解除する第２のロック状態解除処理とを行い、
前記ロック状態の設定に要する操作時間と、前記第１のロック状態解除処理において前記ロック状態の解除に要する操作時間が同じに設定され、
前記第１のロック状態解除処理において前記ロック状態の解除に要する操作時間に対して、前記第２のロック状態解除処理において前記ロック状態の解除に要する操作時間を短く設定したことを特徴とする操作装置。
【請求項５】
前記設定スイッチまたは前記ロックスイッチがその操作時間に応じて前記操作スイッチとしても機能することを特徴とする請求項１から請求項４のうち何れか一つに記載の操作装置。
【請求項６】
前記設定スイッチまたは前記ロックスイッチが操作対象機器に設置され、前記操作スイッチが前記操作対象機器を無線信号により遠隔操作する無線操作部に設置され、前記特定もしくは任意の操作スイッチが前記無線操作部に設置されていることを特徴とする請求項１から請求項５のうち何れか一つに記載の操作装置。
【発明の詳細な説明】
【技術分野】
【０００１】
本発明は、例えば温風暖房機からなる対象機器を操作する操作装置に関し、例えばチャイルドロック状態の設定及び解除機能を備える操作装置に関する。
【背景技術】
【０００２】
この種の操作装置として、例えば下記特許文献１記載のものが知られている。この操作装置は、その操作パネル面に機器本体として例えば温風暖房機を操作する操作スイッチと、チャイルドロックスイッチ（設定スイッチ）とを有し、操作スイッチの操作で温風暖房機の運転状態や各種設定の切替・変更入力を可能をとし、チャイルドロックスイッチを所定時間以上連続して操作すると、操作スイッチによる入力を無効とするロック状態（所定状態）が設定され、このロック状態のときに、チャイルドロックスイッチをロック状態の設定時と同じ時間連続操作すると、ロック状態が解除されるようになっている。
【特許文献１】特開平５−２５６４４７号公報
【０００３】
このようにチャイルドロックスイッチの長時間操作といった特殊な操作しなければ、ロック状態の設定・解除ができないようにすることで、ロック状態に設定する必要がないときに、誤ってロック状態に設定してしまうことを防止し、またロック状態を必要とするときに、幼児等がいたずらにより容易に解除してしまうことがないようにしている。
【発明の開示】
【発明が解決しようとする課題】
【０００４】
ところで、前記公報記載の操作装置は、ロック状態の設定に要するチャイルドロックスイッチの連続操作時間と、ロック状態の解除に要するチャイルドロックスイッチの連続操作時間とが同じに設定されているため、ロック状態を解除する際にもチャイルドロックスイッチの長時間連続操作という煩わしい操作が必要であり、使い勝手が良いとは言えない。一方、ロック状態の解除に要する連続操作時間を設定時よりも短くすることが考えられるが、そうすると幼児等のいたずらによって容易に解除されてしまう可能性が高くなる。
【０００５】
そこで本発明は、前述の課題に対処するため、ロック状態等、所定状態の解除に要するスイッチ操作を工夫することにより、利便性を向上させることが可能な操作装置の提供を目的とするものである。
【課題を解決するための手段】
【０００６】
本発明は、前記目的を達成するため、複数の操作スイッチと、設定スイッチと、この設定スイッチの操作に基づいて所定状態の設定と解除を行う制御部とを備えており、前記制御部は前記設定スイッチを所定時間連続操作することにより前記所定状態に設定する設定処理と、前記所定状態のとき前記設定スイッチと前記操作スイッチのうち所定もしくは任意の操作スイッチとを同時に所定時間連続操作することにより前記所定状態を解除する所定状態解除処理とを行い、前記所定状態の設定に要する操作時間に対して、前記設定状態の解除に要する操作時間が短く設定されていることを特徴とする。
【０００７】
また本発明は、前記目的を達成するため、複数の操作スイッチと、設定スイッチと、この設定スイッチの操作に基づいて所定状態の設定と解除を行う制御部とを備えており、前記制御部は前記設定スイッチを所定時間連続操作することにより前記所定状態に設定する所定状態設定処理と、前記所定状態のとき前記設定スイッチを所定時間連続操作することにより前記所定状態を解除する第１の所定状態解除処理と、前記所定状態のとき前記設定スイッチと前記操作スイッチのうち所定もしくは任意の操作スイッチとを同時に所定時間連続操作することにより前記所定状態を解除する第２の所定状態解除処理とを行い、前記所定状態の設定に要する操作時間と、前記第１の所定状態解除処理において前記所定状態の解除に要する操作時間が同じに設定され、前記所定状態解除処理において前記所定状態の解除に要する操作時間に対して、前記第２の所定状態解除処理において前記所定状態の解除に要する操作時間を短く設定したことを特徴とする。
【０００８】
また本発明は、前記目的を達成するため、複数の操作スイッチと、ロックスイッチと、このロックスイッチの操作に基づいてロック状態の設定と解除を行う制御部とを備えており、前記制御部は前記ロックスイッチを所定時間連続操作することにより前記ロック状態に設定するロック状態設定処理と、前記ロック状態のとき前記ロックスイッチと前記操作スイッチのうち所定もしくは任意の操作スイッチとを同時に所定時間連続操作することにより前記ロック状態を解除するロック状態解除処理とを行い、前記ロック状態の設定に要する操作時間に対して、前記ロック状態の解除に要する操作時間が短く設定されていることを特徴とする。
【０００９】
また本発明は、前記目的を達成するため、複数の操作スイッチと、ロックスイッチと、このロックスイッチの操作に基づいてロック状態の設定と解除を行う制御部とを備えており、前記制御部は前記ロックスイッチを所定時間連続操作することにより前記ロック状態に設定するロック状態設定処理と、前記ロック状態のとき前記ロックスイッチを所定時間連続操作することにより前記ロック状態を解除する第１のロック状態解除処理と、前記ロック状態のとき前記ロックスイッチと前記操作スイッチのうち所定もしくは任意の操作スイッチとを同時に所定時間連続操作することにより前記ロック状態を解除する第２のロック状態解除処理とを行い、前記ロック状態の設定に要する操作時間と、前記第１のロック状態解除処理において前記ロック状態の解除に要する操作時間が同じに設定され、前記第１のロック状態解除処理において前記ロック状態の解除に要する操作時間に対して、前記第２のロック状態解除処理において前記ロック状態の解除に要する操作時間を短く設定したことを特徴とする。
【００１０】
また本発明は、前記設定スイッチまたは前記ロックスイッチがその操作時間に応じて前記操作スイッチとしても機能することを特徴とする。
【００１１】
また本発明は、前記設定スイッチまたは前記ロックスイッチが操作対象機器に設置され、前記操作スイッチが前記操作対象機器を無線信号により遠隔操作する無線操作部に設置され、前記特定もしくは任意の操作スイッチが前記無線操作部に設置されていることを特徴とする。
【発明の効果】
【００１２】
本発明によれば、初期の目的を達成でき、所定状態の解除に係わるスイッチ操作の特殊性を維持しながら、所定状態の解除に要するスイッチ操作時間を短くすることで、解除操作の煩わしさを軽減させ、利便性を向上させることが可能な操作装置を提供することができる。
【発明を実施するための最良の形態】
【００１３】
以下、図面に基づいて本発明による操作装置を温風暖房機からなる対象機器を操作する操作装置に適用した場合を例に実施形態を説明する。
図１及び図２は、本発明の第１の実施形態を示すもので、図１は本実施形態による操作装置のブロック図、図２は同実施形態における操作装置の動作フローを示すフローチャート図である。
【００１４】
図１において、本実施形態による操作装置は、図示しない温風暖房機の前面上部に組み込まれており、操作パネル１と制御部２とで構成されている。
【００１５】
操作パネル１には、複数の操作スイッチが設けられており、これら操作スイッチは、温風暖房機の運転を「入・切（オン・オフ）」する運転スイッチ１１と、時刻と温度を表示する例えば液晶パネルからなる表示パネルＰと、温度設定時に設定温度を上昇・下降させる室温設定スイッチ１２と、時刻合わせの際に表示パネルＰの表示を温度から時刻に切り替える時刻合わせスイッチ１３と、時刻合わせ時に表示パネルＰの時刻表示を進めたり戻したりする時刻設定スイッチ１４と、所定時間後に運転開始または運転停止させるタイマースイッチ１５とで構成されている。なおこの場合、時刻合わせスイッチ１３は、チャイルドロック（所定状態）の設定及び解除を行うチャイルドロックスイッチ（ロックスイッチまたは設定スイッチ）の機能も備えているが、時刻合わせスイッチ１３とは別に、専用のチャイルドロックスイッチを設けても良い。
【００１６】
また操作パネル１には、これら操作スイッチの他、運転スイッチ１１の「入」時、タイマースイッチ１５の「入・切」時、及び時刻合わせスイッチ１３の後述する所定操作に基づくチャイルドロック設定時にそれぞれ点灯する発光表示部１６ａ〜１６ｄと、チャイルドロック設定及び解除に要するスイッチ操作を表示するロック操作表示部１７が設けられている。
【００１７】
制御部２は、図示しないＲＯＭやＲＡＭ、タイマ機能等を内蔵したマイクロコンピュータからなり、各操作スイッチ１１〜１５からの入力信号に基づいて温風暖房機の動作制御を行うもので、例えば運転スイッチ１１の「入・切」操作により、運転を開始・停止させると共に「入」時には対応する発光表示部１６ａを点灯させ、室温設定スイッチ１２または時刻設定スイッチ１４の操作により、設定温度または設定時刻を変更すると共にそれを表示パネルＰに表示させ、時刻合わせスイッチ１３の操作により、表示パネルＰの表示を温度から時刻に切り替え表示させ、タイマースイッチ１４の「入・切」操作により、所定時間後に運転開始または運転停止させると共に、発光表示部１６ｃ，１６ｄを点消灯させるものである。
【００１８】
また制御部２は、上記の通常処理に加え、操作スイッチ１２，１４、１５による操作入力と、操作スイッチ１１の単独操作入力及び操作スイッチ１３の表示切替入力を無効とするチャイルドロック状態（ロック状態または所定状態）の設定処理または解除処理を行うようになっている。すなわち制御部２は、チャイルドロック状態ではない通常時において、時刻合わせスイッチ１３を単独で短時間（例えば３秒未満）オン（継続）操作した場合は、前述のように表示パネルＰに表示切替を行わせるが、時刻合わせスイッチ１３を単独で長時間（例えば３秒以上）連続操作（継続オン操作）すると、チャイルドロック状態に設定するチャイルドロック状態設定処理を行い、一方、チャイルドロック状態において、時刻合わせスイッチ１３を単独で設定時と同じ長時間（例えば３秒以上）連続操作（継続オン操作）すると、チャイルドロック状態を解除する第１のチャイルドロック状態解除処理を行い、同じくチャイルドロック状態において、時刻合わせスイッチ１３と、当該スイッチ以外の操作スイッチ１１，１２，１４，１５のうち、例えば運転スイッチ（所定の操作スイッチ）１１とを同時に所定時間（例えば１秒以上）連続操作（継続オン操作）すると、チャイルドロック状態を解除する第２のチャイルドロック状態解除処理を行うようなっており、これらチャイルドロックの設定及び解除に係わる処理プログラムは、前記ＲＯＭ内に格納されている。
【００１９】
なお本例では第２のチャイルドロック状態解除処理において、所定の操作スイッチとして運転スイッチ１１を選択したが、操作スイッチ１３以外の操作スイッチであれば、任意のスイッチを所定のスイッチとして選定できると共に、このように予め決められたスイッチではなく、操作スイッチ１３以外の任意のスイッチを操作スイッチ１３と同時に操作することでチャイルドロック状態の解除を行っても良い。
【００２０】
なおここで、チャイルドロック状態設定処理と第１のチャイルドロック状態解除処理に要する時刻合わせスイッチ１３の連続操作条件は、幼児等が単独のスイッチを３秒以上連続操作する可能性が低いことに基づいているが、操作時間は幼児のいたずら等を考慮して任意に設定できる。また第２のチャイルドロック状態解除処理に要する時刻合わせスイッチ１３と運転スイッチ１１との同時連続操作条件も、幼児等が複数のスイッチを同時に１秒以上連続操作する可能性が低いことに基づいているが、チャイルドロック状態設定処理に要する操作時間よりも短い操作時間であれば、任意に設定することができる。
【００２１】
次に図２に基づいて、本発明のチャイルドロック状態の設定及び解除について説明する。
制御部２は、チャイルドロック状態の設定及び解除処理において、ステップＳ１にて、チャイルドロック状態にあるか否かを判断する。ここでチャイルドロック状態にないと判断した場合（ＮＯ）、ステップＳ２にて時刻合わせスイッチ１３の連続操作条件（３秒以上連続操作）が成立しているか否かを判断し、この条件が成立している場合（ＹＥＳ）、ステップＳ３にてチャイルドロック状態に設定する（チャイルドロック状態設定処理）。これにより操作スイッチ１２，１４，１５による一切の操作入力と、操作スイッチ１１単独での操作入力及び操作スイッチ１３の表示切替入力を無効とする。次にステップＳ４にて発光表示部１６を点灯させて、利用者にチャイルドロック状態にあることを知らせる。
【００２２】
一方、ステップＳ１にて、チャイルドロック状態にあると判断した場合（ＹＥＳ）、ステップＳ５にて時刻合わせスイッチ１３の連続操作条件（３秒以上連続操作）か、または時刻合わせスイッチ１３と操作スイッチ１１との同時操作条件（両スイッチの１秒以上同時操作）が成立しているか否かを判断し、これら条件のうち何れか一つが成立していた場合（ＹＥＳ）、ステップＳ６にてチャイルドロック状態を解除する（この場合、時刻合わせスイッチ１３単独での３秒以上連続操作に基づくチャイルドロック状態の解除が第１のチャイルドロック状態解除処理に相当し、時刻合わせスイッチ１３と操作スイッチ１１の１秒以上同時操作に基づくチャイルドロック状態の解除が第２のチャイルドロック状態解除処理に相当する）。これにより操作スイッチ１１〜１５による通常の操作入力が可能となる。次にステップＳ７にて発光表示部１６を消灯させて、利用者にチャイルドロック状態の解除を知らせる。
【００２３】
以上のように、本実施形態では、複数の操作スイッチ１１，１２，１４，１５と、操作スイッチ（チャイルドロックスイッチ）１３と、この操作スイッチ１３の操作に基づいてチャイルドロック状態の設定と解除を行う制御部２とを備えており、制御部２は操作スイッチ１３を所定時間連続操作することによりチャイルドロック状態に設定するチャイルドロック状態設定処理（ステップＳ２，Ｓ３）と、チャイルドロック状態のとき操作スイッチ１３と所定の操作スイッチ１１とを同時に所定時間連続操作することによりチャイルドロック状態を解除するチャイルドロック状態解除処理（ステップＳ５，Ｓ６中、第２のチャイルドロック状態解除処理）とを行い、チャイルドロック状態の設定に要する操作スイッチ１３の連続操作時間に対して、チャイルドロック状態の解除に要する操作スイッチ１３と所定の操作スイッチ１１の同時連続操作時間を短く設定したことにより、チャイルドロック状態の解除に係わるスイッチ操作の特殊性（この場合、複数スイッチの同時連続操作）を維持しながら、ロック状態の解除に要するスイッチ操作時間を短くすることができ、解除操作の煩わしさを軽減させ、利便性を向上させることができる。
【００２４】
また本実施形態では、チャイルドロック状態のとき操作スイッチ１３と特定の操作スイッチ１１との同時連続操作によるチャイルドロック状態解除処理（第２のチャイルドロック状態解除処理）に加え、チャイルドロック状態のとき操作スイッチ１３を連続操作することによるチャイルドロック状態解除処理（第１のチャイルドロック状態解除処理）を用意し、チャイルドロック状態設定処理に要する操作スイッチ１３の連続操作時間と、第１のチャイルドロック状態解除処理に要する操作スイッチ１３の連続操作時間を同じに設定し、第１のロック状態解除処理に要する操作スイッチ１３の連続操作時間に対して、第２のチャイルドロック状態解除処理に要する操作スイッチ１３と所定の操作スイッチ１１の同時連続操作時間を短く設定したことにより、利用者に対して、スイッチの操作時間は要するがチャイルドロック状態の設定と同じ分かりやすい操作でチャイルドロックを解除可能とする第１の選択肢と、スイッチの操作時間は短いがスイッチ操作の特殊性を維持した上でチャイルドロックを解除可能とする第２の選択肢を提供でき、利便性をより一層向上させることができる。
【００２５】
また本実施形態では、操作スイッチ（時刻合わせスイッチ）１３をチャイルドロックスイッチとし、その操作時間（３秒未満の短時間操作）に応じて通常の操作スイッチとしても機能するよう設定したことにより、操作スイッチ数を削減することができる。
【００２６】
なお本実施形態では、操作スイッチ１３を単独で３秒以上連続操作することで、チャイルドロック状態の設定を行うよう構成したが、複数の操作スイッチの連続操作でチャイルドロック状態の設定を行うように構成しても良い。
【００２７】
図３は、本発明の第２の実施形態を示すブロック図であり、本実施形態では、操作装置が操作対象機器である温風暖房機に組み込まれ、当該機器を有線信号にて操作する有線操作部１００と、この有線操作部１００とは分離して設けられ、温風暖房機を無線信号により操作する無線操作部２００とで構成される例を示している。
【００２８】
有線操作部１００の基本構成は前記第１の実施形態の操作装置と同じであり、チャイルドロックスイッチとして機能する操作スイッチを含む複数の操作スイッチ１１〜１５を備えた操作パネル１と、制御部２とを有するが、制御部２は、無線操作部２００の無線信号（赤外線信号）を受信する受信部１０１を含んでいる。
【００２９】
無線操作部２００は、例えば温風暖房機の運転を無線信号にて「入・切（オン・オフ）」する無線運転スイッチ２０１ａをはじめ、有線操作部１００の操作パネルＰに設置したスイッチ類と同機能の無線操作スイッチ（操作スイッチ）２０１と、これら無線操作スイッチ２１０に対応した無線信号を発信する発信部２０２とを備えている。なおこの例では無線操作部２００にチャイルドロックスイッチは設けられていない。
【００３０】
そして無線操作部２００の無線操作スイッチ２１０を操作すると、そのスイッチに対応する無線信号が発信部２０２から送信され、この無線信号が有線操作部１００の受信部１０１で受信されることにより、無線信号によっても温風暖房機を操作可能に設けられている。
【００３１】
一方、チャイルドロックモードの設定にあっては、前記第１の実施形態と同様、有線操作部１００の操作スイッチ１３の連続操作によりチャイルドロック状態の設定及び解除を行うが、第２のチャイルドロック状態解除処理が前記第１の実施形態と異なっている。
【００３２】
すなわち、前記第１の実施形態では、操作スイッチ１３と所定の操作スイッチ１１との同時連続操作に基づいて第２のチャイルドロック状態解除処理を行ったが、本実施形態では、有線操作部１００の操作スイッチ１３と、無線操作部２００の無線操作スイッチ２０１のうち例えば無線運転スイッチ２０１ａとを同時に１秒以上連続（継続オン操作）操作することにより、第２のチャイルドロック状態解除処理を行うようにしている。この際、無線操作スイッチ２０１のどのスイッチを操作スイッチ１３と共に１秒以上連続（継続オン操作）操作しても第２のチャイルドロック状態解除処理ができるようにしても良い。
【００３３】
以上の通り構成される本実施形態によっても、前記第１の実施形態と同様の効果を期待できる。
【００３４】
なお上記第１，第２の実施形態では、本発明による操作装置を温風暖房機の操作装置に適用した例を示したが、本発明の適用対象機器はこれに限らず、例えば各種家電機器や車両に適用してもよい。
【００３５】
また上記第１，第２の実施形態では、チャイルドロック機能を例に説明したが、チャイルドロック機能だけでなく、例えば使用者本人が自分に適した設定条件を他人に簡単に変更されないようにするロック機能であても良く、またこれらロック機能に限らず、所定状態として例えば時刻合わせモードや温度設定モード、タイマー予約モード等、各種状態の設定と解除に本発明を適用することができる。
【図面の簡単な説明】
【００３６】
【図１】本発明の第１の実施形態による操作装置のブロック図である。
【図２】同実施形態における操作装置の動作フローを示すフローチャート図である。
【図３】本発明の第１の実施形態による操作装置のブロック図である。
【符号の説明】
【００３７】
１  操作パネル
２  制御部
１１  運転スイッチ（所定の操作スイッチ）
１２  室温設定スイッチ（操作スイッチ）
１３  時刻合わせスイッチ（操作スイッチ／ロックスイッチ／設定スイッチ）
１４  時刻設定スイッチ（操作スイッチ）
１５  タイマースイッチ（操作スイッチ）
１６ａ〜１６ｄ  発光表示部
１７  ロック操作表示部
１００  有線操作部
１０１  受信部
２００  無線操作部
２０１  無線操作スイッチ（操作スイッチ）
２０１ａ  無線運転スイッチ（操作スイッチ）
２０２  発信部
Ｐ  表示パネル
【図１】
2005156065.tif 000003
【図２】
2005156065.tif 000004
【図３】
2005156065.tif 000005